(57)【要約】【課題】どのような使用状況においても、記録媒体に記録されている情報を読み取り装置にて不正に読み取られてしまうことを確実に阻止することができる携帯用物入れを提供する点にある。【解決手段】記録媒体１０を収納する記録媒体収納部１１を備えた本体部５を設け、記録媒体収納部１１に収納された記録媒体１０への電磁波を遮断するためのシート状の電磁波遮断部材１２を収納する収納空間を本体部５に備え、電磁波遮断部材１２を記録媒体１０と同一の外形寸法又はそれよりも大きな外形寸法に構成し、本体部５を折り目６を介して一方側に位置する第１部分７と第１部分７に折り目６を介して重ね合わせる第２部分とから構成し、第１部分及び第２部分のうちの少なくとも一方に記録媒体収納部１１を備え、記録媒体収納部１１を備えた部分に、電磁波遮断部材１２の収納空間を備えさせた。【選択図】図１
0003121908.tif 000002
【実用新案登録請求の範囲】
【請求項１】
接触型記録媒体又は非接触型記録媒体を収納するための記録媒体収納部を備えた本体部を設け、前記記録媒体収納部に収納された前記接触型記録媒体又は非接触型記録媒体への電磁波を遮断するためのシート状の電磁波遮断部材を収納する収納空間を前記本体部に備え、前記電磁波遮断部材を前記接触型記録媒体又は非接触型記録媒体と同一の外形寸法又はそれよりも大きな外形寸法に構成し、前記本体部を折り目を介して一方側に位置する第１部分と該第１部分に該折り目を介して重ね合わせるように他方側に位置する第２部分とから構成し、前記第１部分及び前記第２部分のうちの少なくとも一方に前記記録媒体収納部を備え、前記記録媒体収納部を備えた部分に、前記電磁波遮断部材の収納空間を備えさせたことを特徴とする携帯用物入れ。
【請求項２】
接触型記録媒体又は非接触型記録媒体を収納するための記録媒体収納部を備えた本体部を設け、前記記録媒体収納部に収納された前記接触型記録媒体又は非接触型記録媒体への電磁波を遮断するためのシート状の電磁波遮断部材を収納する収納空間を前記本体部に備え、前記電磁波遮断部材を前記接触型記録媒体又は非接触型記録媒体と同一の外形寸法又はそれよりも大きな外形寸法に構成し、前記本体部を２つの折り目を介して３つの部分から構成するとともに該３つの部分のうちの中央に位置する中央部分へそれの左右両側に位置する一方側の左側部分及び他方側の右側部分をそれぞれ重ね合わせるように折りたたみ自在に構成し、前記３つの部分のうちのいずれか１つの部分に前記記録媒体収納部を備え、前記記録媒体収納部を備えた部分に、前記電磁波遮断部材の収納空間を備えさせたことを特徴とする携帯用物入れ。
【請求項３】
前記電磁波遮断部材を、アルミニウムを主成分として構成してなる請求項１又は２記載の携帯用物入れ。
【請求項４】
前記接触型記録媒体が、磁気式カードであり、前記非接触型記録媒体がICカードである請求項１〜３のいずれか１項に記載の携帯用物入れ。
【考案の詳細な説明】
【技術分野】
【０００１】
本考案は、クレジットカードやキャッシュカードに記録されている各種データをスキミングマシンと呼ばれるカード情報読み取り装置にて不正に読み取られることを防止するための携帯用物入れに関する。
【背景技術】
【０００２】
革や布あるいは合成樹脂などでなる財布やカード入れなどの携帯用物入れに、クレジットカードやキャッシュカードを入れ、その携帯用物入れを服のポケットやバックなどに入れて持ち歩いていると、上記のカード情報読み取り装置にてデータを読み取られてしまい、被害を受けるケースが発生している。そこで、カードに記録されているカード情報を読み取り装置にて不正に読み取ることができないようにした携帯用物入れが既に提案されている。これは、非接触型記録媒体を収納可能とする容器であり、折り目を介して重なるように折り畳まれる第１折り畳み部及び第２折り畳み部を有する本体と、前記第１折り畳み部に設けられ前記非接触型記録媒体を収納する収納部と、前記第２折り畳み部に設けられた電磁波遮断シートとを備えたものである（特許文献１参照）。
【特許文献１】特開２００３−３００５７９号公報
【考案の開示】
【考案が解決しようとする課題】
【０００３】
上記特許文献１の構成では、非接触型記録媒体が収納された第１折り畳み部とは異なる第２折り畳み部に電磁波遮蔽シートを備えたものであるため、持ち歩いている際に、非接触型記録媒体と電磁波遮蔽シートとの位置関係が変更されてしまうことがある。つまり、非接触型記録媒体を電磁波遮蔽シートにて完全に覆っていない部分が発生することがあり、このような状態では、カード情報読み取り装置からの電磁波を完全に遮蔽することができず、カードに記録されているカード情報を読み取り装置にて不正に読み取られてしまう事態が発生することがあった。
【０００４】
本考案が前述の状況に鑑み、解決しようとするところは、どのような使用状況においても、記録媒体に記録されている情報を読み取り装置にて不正に読み取られてしまうことを確実に阻止することができる携帯用物入れを提供する点にある。
【課題を解決するための手段】
【０００５】
本考案の携帯用物入れは、前述の課題解決のために、接触型記録媒体又は非接触型記録媒体を収納するための記録媒体収納部を備えた本体部を設け、前記記録媒体収納部に収納された前記接触型記録媒体又は非接触型記録媒体への電磁波を遮断するためのシート状の電磁波遮断部材を収納する収納空間を前記本体部に備え、前記電磁波遮断部材を前記接触型記録媒体又は非接触型記録媒体と同一の外形寸法又はそれよりも大きな外形寸法に構成し、前記本体部を折り目を介して一方側に位置する第１部分と該第１部分に該折り目を介して重ね合わせるように他方側に位置する第２部分とから構成し、前記第１部分及び前記第２部分のうちの少なくとも一方に前記記録媒体収納部を備え、前記記録媒体収納部を備えた部分に、前記電磁波遮断部材の収納空間を備えさせたことを特徴としている。
従って、本体部の第１部分及び第２部分のうち、記録媒体収納部を備えた部分に、電磁波遮断部材の収納空間を備えさせることによって、第１部分に対して第２部分がどのような位置関係になっても、電磁波遮断部材と記録媒体との位置関係が常に不変であるため、電磁波遮断部材にて収納部に収納されている記録媒体への電磁波を確実に遮断することができる。
【０００６】
また、接触型記録媒体又は非接触型記録媒体を収納するための記録媒体収納部を備えた本体部を設け、前記記録媒体収納部に収納された前記接触型記録媒体又は非接触型記録媒体への電磁波を遮断するためのシート状の電磁波遮断部材を収納する収納空間を前記本体部に備え、前記電磁波遮断部材を前記接触型記録媒体又は非接触型記録媒体と同一の外形寸法又はそれよりも大きな外形寸法に構成し、前記本体部を２つの折り目を介して３つの部分から構成するとともに該３つの部分のうちの中央に位置する中央部分へそれの左右両側に位置する一方側の左側部分及び他方側の右側部分をそれぞれ重ね合わせるように折りたたみ自在に構成し、前記３つの部分のうちのいずれか１つの部分に前記記録媒体収納部を備え、前記記録媒体収納部を備えた部分に、前記電磁波遮断部材の収納空間を備えさせて、携帯用物入れを構成してもよい。
前述と同様に、本体部の中央部分、左側部分、右側部分の３つの部分のうち、記録媒体収納部を備えた部分に、電磁波遮断部材の収納空間を備えさせることによって、特定のある部分に対して他の部分がどのような位置関係になっても、電磁波遮断部材と記録媒体との位置関係が常に不変であるため、電磁波遮断部材にて収納部に収納されている記録媒体への電磁波を確実に遮断することができる。尚、前記中央部分の両側に位置する２つの部分の端部に折り目を介してさらに別の延出部を備えさせて、４つ折り以上の携帯用物入れを構成することもできる。
【０００７】
前記電磁波遮断部材を、アルミニウムを主成分として構成してもよい。
【０００８】
前記接触型記録媒体が、磁気式カードであり、前記非接触型記録媒体がICカードであってもよい。
【考案の効果】
【０００９】
本考案によれば、２つ折り又は３つ折り以上の携帯用物入れに接触型記録媒体や非接触型記録媒体を入れ、その携帯用物入れを服のポケットやバックなどに入れて持ち歩いた場合に、前記本体部を構成する部分のうち、少なくとも記録媒体収納部を備えた部分に、電磁波遮断部材の収納空間を備えさせることによって、電磁波遮断部材と収納部との位置関係を常に不変にすることができることから、電磁波遮断部材にて収納部に収納されている記録媒体への電磁波を確実に遮断することができ、どのような使用状況においても、記録媒体に記録されている情報を読み取り装置にて不正に読み取られてしまうことを確実に阻止することができる携帯用物入れを提供することができる。尚、記録媒体収納部を備えた部分にのみ、電磁波遮断部材の収納空間を備えさせる構成にすれば、本体の全て記録媒体収納部を備えさせる場合に比べて、製造コスト面において有利になる。
前記電磁波遮断部材を、アルミニウムを主成分として構成することによって、スチールにて構成したものに比べて、軽量化を図ることができ、好ましい。
【考案を実施するための最良の形態】
【００１０】
図１に、携帯用物入れの一例である２つ折りが可能な財布１が示されている。この財布１は、図２にも示すように、同一形状でほぼ同一の大きさに構成された２枚の革（合成皮革、布、合成樹脂などでもよい）でなる長方形状のシート状部材２，３を重ね合わせて相対抗位置する４辺のうちの３辺のみを縫着（又は接着）して３方向を閉じることにより内部に札入れ部４が構成された長方形状（正方形でもよい）の本体部５を備え、この本体部５の折り目６を介して一方側（図１では左側）の第１部分の内面側（折り畳まれる側）に別の革を縫い込んで小銭入れ部７を備えさせ、折り目６を介して他方側（図１では右側）の第２部分の内面側（折り畳まれる側）に別の２枚の革８，９を縫い込んで接触型記録媒体としての磁気式カード１０を収納するための２つの収納部（ポケット）１１，１１を備えている。そして、前記札入れ部４内に前記磁気式カード１０に対する電磁波を遮断するための電磁波遮断部材１２を備えている。前記シート状部材２，３にて、前記電磁波遮断部材１２を表裏両面から覆うための被覆部材を構成している。ここでは、お金も入れることができる財布１を例に挙げているが、カードのみを入れるカード入れの他、カードと他のものを入れる携帯用物入れであってもよい。前記収納部１１としては、図に示すように磁気式カード１０の一部（図では上部）が露出してカードを直ちに視認する上で有利であるが、完全に入り込むポケットの深さに設定して実施することもできる。前記小銭入れ部７は、ファスナー２１にて開閉自在になっている。ここでは、接触型記録媒体の一例である磁気式カード１０を挙げて説明しているが、ＩＣカードなどの非接触型記録媒体にも本考案は適応することができる。
【００１１】
前記電磁波遮断部材１２は、長方形状（正方形やその他磁気式カード１０を覆うことができる形状であればどのような形状であってもよい）で板状に構成されるとともにアルミニウムを主成分としてなり、しかも可撓性を有する厚みになるようにしているが、可撓性を有さないものであってもよい。前記アルミニウムを１００％含んだ構成にすることによって、軽量化において有利になるが、その他の各種金属にて構成することもできるし、アルミニウムに各種金属を１種類又は複数種類混ぜ込んだもので構成してもよいし、また、合成樹脂に金属を混練してシート状又はフィルム状に構成したものや、布や合成樹脂でなるベース板に板状に構成された金属を積層一体化したものであってもよい。また、前記電磁波遮断部材１２は、前記磁気式カード１０の外形寸法と同一寸法にしてもよいが、収納部１１で磁気式カード１０が多少移動しても電磁波遮断部材１２が磁気式カード１０への電磁波を遮断できるように磁気式カード１０よりも大きな外形寸法にした方が好ましい。尚、電磁波遮断部材１２を磁気式カード１０と同一の外形寸法にして実施する場合には、ポケット１１の開口を閉じる蓋などの磁気式カード保持手段を設けて、磁気式カード１０を確実に移動不能に保持できるように構成して実施することが好ましい。
【００１２】
図１及び図２に示すように、前記電磁波遮断部材１２の収納空間として、前記札入れ部４の一部を利用しているが、他の専用の内部空間を設けて実施してもよい。また、前記収納空間のうちの前記折り目６を介して少なくとも一方側に位置する収納空間、つまり前記収納部１１を備えている側に前記電磁波遮断部材１２を収納することができる収納空間を形成するための革でなる収納空間形成部材１３を一方のシート状部材２に縫い付けているが、２枚のシート状部材２，３を縫いつけることにより札入れ部４の内部空間を仕切ることで、電磁波遮断部材１２を収納するための収納空間を形成するようにしてもよいし、札入れ部４とは異なる専用の内部空間を形成し、その内部空間内に電磁波遮断部材１２を収納するようにしてもよい。また、図には示していないが、前記電磁波遮断部材１２を収納空間に対して出し入れ可能に構成して実施することもできる。
【００１３】
前記のように電磁波遮断部材１２を、収納部１１を備えている側に配置することによって、電磁波遮断部材１２と磁気式カード１０との位置関係が変更されることがなく、不変であるため、図１に示すように、財布１が開いた状態でバックなどに入れて持ち歩くような状況であっても、スキマー（スキミングマシン）にて読み取られようとしても、電磁波遮断部材１２にて電磁波を確実に遮断することができる。また、例えば図３に示すように、小銭入れ部７側の内部空間に前記電磁波遮断部材１２Ａ（２点鎖線で示している）を入れている場合に、図のように小銭入れ部７と磁気式カード１０とが位置ずれして、電磁波遮断部材１２Ａにて磁気式カード１０を覆っていない部分（図３では右端）が発生してしまい、その覆っていない部分から磁気データを読み取られてしまうことになるが、本考案のように磁気式カード１０と同一側の内部空間に電磁波遮断部材１２（図３に点線で示している）を配置することによって、財布１の使用状態に係わらず、常に磁気式カード１０への電磁波を遮断することができる。尚、電磁波遮断部材１２Ａを図３のように、小銭入れ部７側の内部空間にも収納しておけば、より一層確実に磁気式カード１０への電磁波を遮断できることは勿論であるが、収納部１１側にのみ電磁波遮断部材１２を設けることによって、製造コスト面において有利になる。前記小銭入れ部７側の内部空間に設けた電磁波遮断部材１２と、前記収納部１１側に設けた電磁波遮断部材１２とを別のものから構成する他、小銭入れ部７から収納部１１までに渡る大きさに構成された一枚の電磁波遮断部材から構成して実施してもよい。
【００１４】
前記財布１としては、図１〜図３に示す２つ折りのものの他、図４〜図６に示すように、３つ折りの財布（カード入れ）１であってもよいし、図には示していないが、４つ折り以上の携帯用物入れであってもよい。図４の財布１は、２枚の革（合成皮革、布、合成樹脂などでもよい）でなる長方形状のシート状部材１４，１５を重ね合わせて相対抗位置する４辺を縫着（又は接着）して長方形状（正方形でもよい）の本体部１６を備え、この本体部１６の短辺方向２箇所に備えた折り目１７，１８を介して本体部１６の中央部分１６Ａに対して左右に位置する両側部分１６Ｂ，１６Ｃを互いに同一方向（矢印で示す方向）へ折り曲げることによって、中央部分１６Ａに両端部分１６Ｂ，１６Ｃを重ね合わせて折り畳むことができるようになっている。折り畳んだ状態の財布１を図５に示している。前記中央部分１６Ａの長手方向上側には、前記磁気式カード１０を収納することができる収納部（ポケット）１９，１９を備えるとともに、収納部１９の後側、つまり中央部分１６Ａの後面に別の革２０を縫い付けて、前記電磁波遮断部材１２を収納保持することができるようにしている。図６では、図を簡素化してわかりやすくするために、シート状部材１４，１５を１枚で描いている。
【図面の簡単な説明】
【００１５】
【図１】２つ折りの財布（携帯用物入れ）を開いた状態の斜視図である。
【図２】第１図におけるＩ−Ｉ線で切断したときの端面図である。
【図３】小銭入れ部と収納部とが位置ずれした状態を示す２つ折りの財布（携帯用物入れ）の斜視図である。
【図４】３つ折りの財布（携帯用物入れ）を開いた状態の平面図である。
【図５】３つ折りの財布（携帯用物入れ）を閉じた状態の斜視図である。
【図６】第５図に示すＩＩ−ＩＩ線で切断したときの端面図である。
【符号の説明】
【００１６】
１  財布
２，３  シート状部材
４  札入れ部
５  本体部
６  折り目
７  小銭入れ部
８，９  革（被覆部材）
１０  磁気式カード
１１  収納部
１２，１２Ａ  電磁波遮断部材
１３  収納空間形成部材
１４，１５  シート状部材
１６  本体部
１６Ａ  中央部分
１６Ｂ，１６Ｃ  両端部分
１７，１８  折り目
１９  収納部
２０  革
２１  ファスナー
【図１】
0003121908.tif 000003
【図２】
0003121908.tif 000004
【図３】
0003121908.tif 000005
【図４】
0003121908.tif 000006
【図５】
0003121908.tif 000007
【図６】
0003121908.tif 000008